(57)【特許請求の範囲】
【請求項１】
ゴムの未加硫物を密閉状容器内に配置し、当該容器内に蒸気供給管から蒸気を供給して未加硫物を加硫するものにおいて、蒸気供給管の容器側端部に複数のスプレーノズルを取り付けて、当該複数のスプレーノズルを密閉状容器の上部と下部に取り付けて、当該複数のスプレーノズルの入口側に開閉弁を設けて、当該開閉弁を電磁弁や電動弁として開閉制御部から任意に且つ自動的に開閉できるようにして、複数のスプレーノズルから順次に容器内へ蒸気を供給することにより、容器内の流体の対流を任意にコントロールすることを特徴とする蒸気加硫装置。
【発明の詳細な説明】
【０００１】
【発明の属する技術分野】
本発明は未加硫物を蒸気で加硫するものに関し、特に未加硫物の全体が均一な所定温度で加熱され、その結果、未加硫物の全体を均一に加硫することのできる蒸気加硫装置に関する。
【０００２】
【従来の技術】
従来の蒸気加硫装置として、例えばゴムロールを加硫するものが特開昭５０−３４８３号公報に示されている。これは、ゴム原料を圧延してシート状にし、心材のまわりに積層した後、心材の内部にパイプ５，１２から熱蒸気を供給して加硫するものである。
【０００３】
【発明が解決しようとする課題】
上記従来のものでは、心材の空胴内にただ単にパイプを通して熱蒸気を供給するものであるために、心材の空胴の全体に且つ均一に熱蒸気が行き渡らず、未加硫物の全体を均一に加硫できない問題があった。特に、空胴部の容積が大きな場合や形状が複雑な場合は、熱蒸気が全体に且つ均一に行き渡らないことが多い。
【０００４】
従って本発明の課題は、容器の大きさや形状がどのようなものであっても、容器の全体に且つ均一に蒸気を供給できるようにして、未加硫物の全体を均一に加硫することのできる蒸気加硫装置を得ることである。
【０００５】
【課題を解決するための手段】
上記の課題を解決するために講じた手段は、ゴムの未加硫物を密閉状容器内に配置し、当該容器内に蒸気供給管から蒸気を供給して未加硫物を加硫するものにおいて、蒸気供給管の容器側端部に複数のスプレーノズルを取り付けて、当該複数のスプレーノズルを密閉状容器の上部と下部に取り付けて、当該複数のスプレーノズルの入口側に開閉弁を設けて、当該開閉弁を電磁弁や電動弁として開閉制御部から任意に且つ自動的に開閉できるようにして、複数のスプレーノズルから順次に容器内へ蒸気を供給することにより、容器内の流体の対流を任意にコントロールするものである。
【０００６】
【発明の実施の形態】
蒸気供給管の容器側端部に開閉弁を介して複数のスプレーノズルを取り付けたことにより、開閉弁を任意に開閉制御して、複数のスプレーノズルから順次に容器内へ蒸気を供給することにより、容器内の流体の対流を任意にコントロールすることができる。
【０００７】
蒸気を含む流体が対流することによって、容器内の全体に且つ均一に蒸気が行き渡り、未加硫物の全体を均一に加硫することができる。
【０００８】
【実施例】
本実施例においては、蒸気と共に空気を供給して加硫する例を説明する。図１において、密閉状容器としての加硫缶１と蒸気供給管２と圧縮空気供給管３、及び、複数のスプレーノズル２２，２３，２４，２５，２６とで蒸気加硫装置を構成する。
【０００９】
加硫缶１は、横長円筒状で内部に未加硫物としての図示しないゴムロール等を戴置する棚４を取り付ける。加硫缶１の側部には一部球形状の蓋５を開閉自在に取り付ける。加硫開始時に蓋５を開いて棚４の上にゴムロールを戴置するものである。
【００１０】
加硫缶１の上部には蒸気供給管２と圧縮空気供給管３を接続する。蒸気供給管２は、バルブ６と調節弁７と開閉弁３２，３３，３４を介して加硫缶１の上部のスプレーノズル２２，２３，２４と接続する。蒸気供給管２は分岐管２１によって分岐して、開閉弁３５，３６を介して下部のスプレーノズル２５，２６とも接続する。圧縮空気供給管３は、バルブ９と調節弁１０を介して加硫缶１と接続する。
【００１２】
開閉弁３２〜３６は、電磁弁や電動弁として、図示しない開閉制御部から任意に且つ自動的に開閉できるようにする。
【００１３】
加硫缶１の上部には、内部の圧力を検出する圧力センサ１２と、温度を検出する温度センサ１３を取り付ける。圧力センサ１２は開閉制御部を介して調節弁７，１０及び開閉弁３２〜３６と電気的に接続する。それぞれの弁７，１０，３２〜３６は全閉したり、あるいは、弁開度を大きくしたり、小さくすることによって、蒸気や圧縮空気の通過量を調節してそれぞれの分圧を任意に制御することができるものである。
【００１４】
温度センサ１３は同じく開閉制御部を介して調節弁７及び開閉弁３２〜３６と電気的に接続する。飽和蒸気の圧力と温度は一義的に定まるために、蒸気の圧力を所定値に制御すれば温度も所定値に維持できる。従って、本実施例においては、温度センサ１３は補助的に使用するものである必ずしも必要ではない。
【００１５】
加硫缶１の右側部にはバルブ１４を介して大気連通管１５を接続する。また、加硫缶１の下部には、蒸気が凝縮した復水を外部に排除するための復水排除管１６を接続する。復水排除管１６にはバルブ１７と、復水だけを出口側に排出するスチームトラップ１８を並列に取り付ける。
【００１６】
棚４上に戴置した図示しないゴムロール等を加硫する場合、まず、圧縮空気供給管３から調節弁１０を介して加硫缶１の内部に所定圧力、例えば３．２ＫＧの圧縮空気を供給する。加硫缶１内部の圧縮空気圧力が３．２ＫＧに到達すると、続いて蒸気供給管２とスプレーノズル２２〜２６を介して所定圧力、例えば５．０ＫＧの蒸気を供給することによって、加硫缶１の内部には圧縮空気との圧力差に基づく１．８ＫＧの蒸気が注入される。
【００１７】
３．２ＫＧの圧縮空気と１．８ＫＧの蒸気を供給することによって、加硫缶１内の圧力は５．０ＫＧとなる。５．０ＫＧとなった時点でバルブ９を閉弁して圧縮空気の供給は停止する。一方、蒸気の供給は、加硫缶１内の圧力が５．０ＫＧを維持するように継続して行うことによって、１．８ＫＧの飽和蒸気の温度は１３０度Ｃであるために、加硫缶１内の未加硫物のゴムロールは５．０ＫＧ、１３０度Ｃの圧力、温度条件で加硫される。
【００１８】
蒸気供給管２から加硫缶１内へ蒸気を供給する場合、開閉弁３２〜３６を任意のタイミングで開閉することによって、加硫缶１内への蒸気の流れを任意にコントロールすることができる。
【００１９】
例えば、開閉弁３２を１分間開弁した後閉弁すると同時に、開閉弁３３を開弁して１分間維持して閉弁して順次開閉弁３４〜３６を開閉弁することによって、加硫缶１内の蒸気の流れをコントロールすることができる。
【００２０】
また、例えば、開閉弁３２，３３，３４を１分間開弁して閉弁し、続いて開閉弁３５，３６を１分間開弁して閉弁することによって、加硫缶１内の蒸気の流れをコントロールすることができる。そして、蒸気の流れを任意にコントロールすることにより、加硫缶１内の全体に蒸気が行き渡る。
【００２１】
本実施例のように、蒸気と圧縮空気を加硫缶１内に供給して加硫を行う場合は、しばらく時間が経つと、蒸気と圧縮空気が分離して加硫缶１内の温度のバラツキが大きくなるが、開閉弁３２〜３６の開閉のタイミングを制御して、スプレーノズル２２〜２６から供給される蒸気で対流を促進して蒸気と圧縮空気を攪拌、混合することによって、加硫缶１内の温度分布のバラツキをより小さなものとすることができる。
【００２２】
【発明の効果】
上記のように本発明によれば、開閉弁を任意に開閉制御して複数のスプレーノズルから順次に容器内へ蒸気を供給することにより、容器内の蒸気、及び、容器内に存在する蒸気以外の流体も任意に対流させることによって、容器の大きさや形状がどのようなものであっても全体に且つ均一に蒸気を供給でき、未加硫物の全体を均一に加硫することができる。
【図面の簡単な説明】
【図１】本発明の蒸気加硫装置の実施例を示す構成図。
【符号の説明】
１ 加硫缶
２ 蒸気供給管
３ 圧縮空気供給管
７ 調節弁
１０  調節弁
１６  復水排除管
２２，２３，２４，２５，２６  スプレーノズル
３２，３３，３４，３５，３６  開閉弁
【図１】
0004672207.tif 000002